(57)【要約】【課題】  ルアー釣りの際に、ブレード等の付属品が鈎針に当たったり、絡みつくことを防止できるよう形成した釣用の鈎針を提供する。【解決手段】  軸１の一端側に環状部２を形成し、他端側に複数の釣針３ａで錨形のフック部３を形成する。上記の釣針３ａの基端側の外面に、付属品５の取付部６を、リング状に設ける。またこの場合、本考案は、取付部６を、円環状に形成すると共に、その直径線Ｌを軸１の延長線上に位置決めして設けるのが好ましい。【選択図】  図１
0003177277.tif 000002
【実用新案登録請求の範囲】
【請求項１】
軸の一端側に環状部が形成され、他端側に複数の釣針で錨形のフック部が形成されている釣用の鈎針であって、上記の釣針の基端側の外面に、付属品の取付部がリング状に設けられていることを特徴とする釣用の鈎針。
【請求項２】
請求項1記載の釣用の鈎針であって、取付部が、円環状に形成されていると共に、その直径線が軸の延長線上に位置決めされていることを特徴とする釣用の鈎針。
【考案の詳細な説明】
【技術分野】
【０００１】
本考案は、釣用の鈎針に関し、更に詳しくは、例えばルアーの尾部等に連結して使用する釣用の鈎針に関するものである。
【背景技術】
【０００２】
従来、この種の鈎針としては、例えば特許文献１に記載されているものがある。
この従来品は、針軸と、この針軸から延出されてフック状に曲成された複数のフック部とで形成されている。
【０００３】
ところで、この種の鈎針は、例えばルアーの尾部や腹部に取り付けて使用することが多い。この場合、釣果を高めるため、鈎針と一緒に集漁ブレード等の付属品が、ルアーの尾部等に取り付けられることがある。
【０００４】
そのため従来は、ルアー釣りの際に、ブレード等の付属品が鈎針に当たったり、絡みつくことがあった。
従って、従来は、ブレードの集漁機能が低減し、また絡みついた付属品をほどくのに手間暇がかかる、という問題点があった。
【先行技術文献】
【特許文献】
【０００５】
【特許文献１】特開平８−１１６８２８号公報
【考案の概要】
【考案が解決しようとする課題】
【０００６】
本考案は、このような従来品の問題点に鑑み、提案されたものである。
従って本考案の解決しようとする技術的課題は、ルアー釣りの際に、ブレード等の付属品が鈎針に当たったり、絡みつくことを防止できるよう形成した釣用の鈎針を提供することにある。
【課題を解決するための手段】
【０００７】
本考案は、上記の課題を解決するため、次のような技術的手段を採る。
即ち、本考案は、図１等に示されるように、軸１の一端側に環状部２が形成され、他端側に複数の釣針３ａで錨形のフック部３が形成されている釣用の鈎針であって、上記の釣針３ａの基端側の外面に、付属品５の取付部６がリング状に設けられていることを特徴とする（請求項１）。
【０００８】
ここで、付属品５としては、例えばブレードや釣針等がある。また、ここで、取付部６がリング状とは、付属品５を取付部６の輪の中にくぐらせて取り付けることができる、ということを意味する。取付部６は、具体的には、円環等の環状部材を複数の釣針３ａに跨ってロー付けしたり、金属線材８（図４参照）の一端を一方の釣針３ａに、他端を他方の釣針３ａにロー付けすることで実現される。
【０００９】
また本考案は、図２に示されるように、取付部６が、円環状に形成されていると共に、その直径線Ｌが軸１の延長線上に位置決めされているのが好ましい（請求項２）。
なぜならこの場合は、本考案品を引いたとき、付属品５を軸１の延長線上でバランス良く引くことができるからである。
【考案の効果】
【００１０】
本考案は、このように軸の一端側に環状部が形成され、他端側に複数の釣針で錨形のフック部が形成されている釣用の鈎針であって、上記の釣針の基端側の外面に、付属品の取付部がリング状に設けられているものである。
【００１１】
従って本考案の場合は、取付部にブレードや鈎針等の付属品を容易に取り付けることができるから、これによれば使い勝手が良くなり、釣果を上げることができる。
また本考案は、フック部の後側に付属品を取り付けることができる。
従って、これによれば、本考案品を引いたとき、付属品がフック部の釣針に絡んだり、当たったりすることを防止できる。
【図面の簡単な説明】
【００１２】
【図１】本考案品の好適な一実施形態を示す使用状態時の側面図である。
【図２】本考案品の一部を切欠した要部側面図である。
【図３】Ａ、Ｂとも取付部のロー付け状態の一例を示す底面図である。
【図４】本考案品の他の実施形態を示す一部を切欠した要部側面図である。
【考案を実施するための形態】
【００１３】
以下、本考案を実施するための好適な一実施形態を、添付図面に従って説明する。
本考案の鈎針は、図１等に示されるように、軸１の一端側に環状部２が形成され、他端側に複数の釣針３ａで錨形のフック部３が形成されている。軸１の一端側の環状部２は、例えばルアー本体４の尾部の環４ａに、互いに自由に動くことができるよう、くぐらせて取り付けたり、或いは釣糸等を結び付けるのに使用される。
【００１４】
また本考案品は、上記の釣針３ａの基端側の外面に、付属品５の取付部６がリング状に設けられている。付属品５は、この実施形態ではステンレス製のブレードである。
この付属品５としてのブレードは、端部の孔５ａにリング５ｂが取り付けられ、このリング５ｂが取付部６に互いに自由に動くことができるよう、くぐり合わされて設けられている。
【００１５】
また取付部６は、この実施形態では、円環状に形成されている。そして、取付部６は、この実施形態では図２に示されるように、その直径線Ｌが軸１の延長線上に位置決めされ、フック部３の釣針３ａに跨ってロー付けされている。７は、ロー付け箇所である。
【００１６】
次に、この実施形態の本考案品の使用例を説明する。
【００１７】
使用者は、図１に示されるように、軸１の一端側の環状部２を、例えばルアー本体４の尾部の環４ａに、互いに自由に動くことができるよう、くぐらせて取り付ける。また本考案は、取付部６に、付属品５としてのブレードや釣針等を取り付けて使用する。
【００１８】
而して、本考案品は、ルアー本体４が引かれると、付属品５としてのブレードはフック部３の後側に位置するため、本考案品の後でヒラヒラと泳ぎ、フック部３に絡んだり、接触することがない。
【００１９】
以上の処において、上例では、取付部６が円環形に形成されているが、本考案は、これに限定されるものではない。即ち、取付部６は、例えば三角形等の多角形や楕円、或いは長円等に形成されているのでも良い。
【００２０】
また本考案の場合、取付部６のロー付け位置は、釣針３ａの本数によって適宜選定されるので良い。即ち、図３Ａに示されるように、４本の釣針３ａが９０度づつあけられてフック部３が形成されているときは、軸１を中心に１８０度の位置の釣針３ａに跨らせてロー付け等の手段で固定されるのが良い。また同図Ｂに示されるように、フック部３の釣針３ａが等間隔に３本でなるときは、例えば隣り合う２本の釣針３ａの外面に取付部６を形成する環状部材をあてがってロー付け等の手段で固定するのが良い。
【００２１】
また本考案品の場合、取付部６は、環状部材をフック部３の外面にロー付けして形成する場合には限られない。即ち、本考案は、取付部６が、図４に示されるように、金属線材８の一端を一方の釣針３ａに、他端を他方の釣り針にロー付けすることで設けられているのでも良い。
【符号の説明】
【００２２】
１      軸
２      環状部
３      フック部
３ａ    釣針
４      ルアー本体
５      付属品
６      取付部
７      ロー付け箇所
８      金属線材
Ｌ      直径線
【図１】
0003177277.tif 000003
【図２】
0003177277.tif 000004
【図３】
0003177277.tif 000005
【図４】
0003177277.tif 000006